(57)【要約】【課題】簡単な操作によって、各種原水中の懸濁粒子を極めて高速度で浮上分離できる革新技術を提供する。【解決手段】除去対象物質を含む被処理水に凝集フロックを形成せしめ、該凝集フロックを浮上性固体粒子表面に付着させて浮上分離する方法において、浮上性固体粒子表面に付着したフロックを剥離したのち、剥離フロックと浮上性固体粒子の両者を含む流入水を、洗浄カラム内に供給したのち、浮上性固体粒子を別個のカラム内に浮上させ、該カラムの上部の流出口から洗浄浮上性固体粒子を含む流出水を流出させるとともに、浮上性固体粒子浮上カラムに洗浄水を供給し、カラムの下部から剥離フロック含有水を排水する浮上性固体粒子の洗浄方法、及びその装置。【選択図】　　　図１
2004025116.tif 000002
【特許請求の範囲】
【請求項１】
除去対象物質を含む被処理水に凝集フロックを形成せしめ、該凝集フロックを浮上性固体粒子表面に付着させて浮上分離する方法において、浮上性固体粒子表面に付着したフロックを剥離したのち、剥離フロックと浮上性固体粒子の両者を含む流入水を、洗浄カラム内に供給したのち、浮上性固体粒子を別個のカラム内に浮上させ、該カラムの上部の流出口から洗浄浮上性固体粒子を含む流出水を流出させるとともに、浮上性固体粒子浮上カラムに洗浄水を供給し、カラムの下部から剥離フロック含有水を排水することを特徴とする浮上性固体粒子の洗浄方法。
【請求項２】
剥離フロックと浮上性固体粒子の両者を含む流入水の水量をＱ１とし、洗浄水の水量をＱ２とし、洗浄浮上性固体粒子を含む水の水量をＱ３とし、剥離フロック含有水の水量をＱ４とするとき、水量条件をＱ２＞Ｑ３、かつＱ４＝Ｑ１＋Ｑ２―Ｑ３を満足するように設定することを特徴とする請求項１記載の浮上性固体粒子の洗浄方法。
【請求項３】
前記洗浄水として、浮上分離処理水の一部又は被処理水の一部を使用することを特徴とする請求項１又は請求項２記載の洗浄方法。
【請求項４】
除去対象物質を含む被処理水に凝集フロックを形成せしめ、該凝集フロックを表面に付着させた浮上性固体粒子を含む被処理水を導入してフロック付着浮上性固体粒子を浮上分離する浮上分離槽と、浮上性固体粒子表面に付着したフロックを剥離する剥離装置とを設けた浮上分離装置において、剥離フロックと浮上性固体粒子の両者を含む流入水を流下させる下降流部と、前記流入水を下降流部の下端で反転させて浮上性固体粒子を含む流入水を上昇させる上昇流部とが隣接し、両部の下方にフロックを沈殿させる分離部が形成され、前記上昇流部の上部から洗浄水を供給して前記浮上性固体粒子を洗浄する構造からなる洗浄槽を有することを特徴とする浮上性固体粒子の洗浄装置。
【請求項５】
前記洗浄槽がカラム部を仕切り板により下降流部と上向流部に区画され、下降流部の上部には剥離フロックと浮上性固体粒子の両者を含む流入水入口が、上向流部の頂部には洗浄水の入口が、上向流部の上部には洗浄浮上性固体粒子を含む流出水出口が、洗浄槽の下部には剥離フロック含有排水出口が、洗浄槽の底部には沈殿汚泥の排泥管が設けられていることを特徴とする請求項４記載の浮上性固体粒子の洗浄装置。
【発明の詳細な説明】
【０００１】
【発明の属する技術分野】
本発明は、工場排水、下水、上水原水など懸濁粒子を含有する懸濁水（以下「原水」ともいう）の超高速浮上分離方法及び装置に関し、原水中の懸濁粒子、色度成分、リン酸イオンなどの凝集除去可能物質を従来の凝集沈殿法又は浮上分離法の５０倍以上の超高速度で浮上分離できる技術に関する。
なお、本発明は特に有機性の懸濁粒子を含有する合流式下水道の雨天時越流水（ＣＳＯと略称される）、又は下水処理施設に流入する下水の超高速固液分離技術として極めて好適な新技術に関する。
【０００２】
【従来の技術】
最近合流下水道における雨天時越流水（ＣＳＯ）の公共水域への汚濁負荷が大きな問題になっている。合流式下水道の雨天時越流水（ＣＳＯ）は、短時間に膨大な水量が発生するので、超高速度で固液分離でき、ＳＳが除去された処理水を公共用水域に放流する必要があるが、従来超高速度で固液分離する優秀な技術がなかった。
【０００３】
また下水処理施設に流入する下水は、最初沈殿池で沈殿分離されたのち、活性汚泥処理されるが、最初沈殿池のＳＳの除去率が悪いため、凝集剤を添加して凝集沈殿処理する例が北欧で普及している。しかし凝集沈殿速度が小さく、大きな沈殿池を必要とする欠点がある。そのためＣＳＯ及び下水を超高速度で固液分離できる新技術が待望されている。
また従来より、原水に加圧溶解空気含有水又は微細気泡を吹き込んで、気泡に懸濁粒子を付着させて浮上分離する方法が知られている。
【０００４】
【発明が解決しようとする課題】
しかし、従来の方法では、浮上分離速度がせいぜい１００〜２００ｍｍ／ｍｉｎ程度と小さく、また空気圧縮機、空気溶解設備などの付帯設備が必要という欠点がある。
本発明は、このような実情よりなされたものであり、従来の浮上分離技術の問題点を解決し、簡単な操作によって、各種原水中の懸濁粒子を極めて高速度で浮上分離できる革新技術を提供することを課題とする。
【０００５】
【課題を解決するための手段】
本発明は、発泡スチロール粒子などの比重が非常に小さく、水中での浮上速度が極めて大きい浮上性固体粒子を、加圧溶解空気浮上分離法における気泡の代わりに用い、原水に浮上性固体粒子を添加して撹拌分散させながら、原水に有機高分子凝集剤、又は無機凝集剤と有機高分子凝集剤を添加して急速撹拌を行うと、５〜１０秒程度後に、原水中の懸濁粒子などの凝集除去対象物質の凝集マイクロフロックが浮上性固体粒子の表面に付着コーティングし、除去対象物質と浮上性固体粒子が一体化した状態が形成され、その後浮上分離部に流入させると、極めて高速度で浮上分離することを見出した技術思想、及びこの方法において浮上性固体粒子に付着したフロックを効果的に系外に排除し、フロックが剥離した浮上性固体粒子（以下洗浄浮上性粒子と呼ぶこともある）を原水に循環し、再び凝集マイクロフロックの付着表面に利用する際の、剥離フロックと洗浄浮上性粒子の効果的な分離、言い換えると浮上性固体粒子の洗浄技術に関する。
【０００６】
すなわち、本発明は、次の手段により前記の課題を解決した。
（１）除去対象物質を含む被処理水に凝集フロックを形成せしめ、該凝集フロックを浮上性固体粒子表面に付着させて浮上分離する方法において、浮上性固体粒子表面に付着したフロックを剥離したのち、剥離フロックと浮上性固体粒子の両者を含む流入水を、洗浄カラム内に供給したのち、浮上性固体粒子を別個のカラム内に浮上させ、該カラムの上部の流出口から洗浄浮上性固体粒子を含む流出水を流出させるとともに、浮上性固体粒子浮上カラムに洗浄水を供給し、カラムの下部から剥離フロック含有水を排水することを特徴とする浮上性固体粒子の洗浄方法。
（２）剥離フロックと浮上性固体粒子の両者を含む流入水の水量をＱ１とし、洗浄水の水量をＱ２とし、洗浄浮上性固体粒子を含む水の水量をＱ３とし、剥離フロック含有水の水量をＱ４とするとき、水量条件をＱ２＞Ｑ３、かつＱ４＝Ｑ１＋Ｑ２―Ｑ３を満足するように設定することを特徴とする前記（１）記載の浮上性固体粒子の洗浄方法。
（３）　前記洗浄用水として、浮上分離処理水の一部又は原水の一部を使用することを特徴とする前記（１）又は（２）記載の方法。
【０００７】
（４）除去対象物質を含む被処理水に凝集フロックを形成せしめ、該凝集フロックを表面に付着させた浮上性固体粒子を含む被処理水を導入してフロック付着浮上性固体粒子を浮上分離する浮上分離槽と、浮上性固体粒子表面に付着したフロックを剥離する剥離装置とを設けた浮上分離装置において、剥離フロックと浮上性固体粒子の両者を含む流入水を流下させる下降流部と、前記流入水を下降流部の下端で反転させて浮上性固体粒子を含む流入水を上昇させる上昇流部とが隣接し、両部の下方にフロックを沈殿させる分離部が形成され、前記上昇流部の上部から洗浄水を供給して前記浮上性固体粒子を洗浄する構造からなる洗浄槽を有することを特徴とする浮上性固体粒子の洗浄装置。
（５）前記洗浄槽がカラム部を仕切り板により下降流部と上向流部に区画され、下降流部の上部には剥離フロックと浮上性固体粒子の両者を含む流入水入口が、上向流部の頂部には洗浄水の入口が、上向流部の上部には洗浄浮上性固体粒子を含む流出水出口が、洗浄槽の下部には剥離フロック含有排水出口が、洗浄槽の底部には沈殿汚泥の排泥管が設けられていることを特徴とする請求項４記載の浮上性固体粒子の洗浄装置。
【０００８】
【発明の実施の形態】
以下、本発明の実施の形態を図面に基づいて説明する。
図２は、本発明の高速浮上分離プロセスの一実施態様を示す系統図である。
原水２１に凝集剤（高分子凝集剤２４単独又は無機凝集剤２３と高分子凝集剤２４の併用）と、粒径５００〜１０００μｍ程度、比重０．０５〜０．２程度の浮上性固体粒子２５を添加し、撹拌すると浮上性固体粒子２５の表面に原水２１中の凝集除去対象物質のマイクロフロックが付着した状態になる。これを浮上分離槽２８の浮上分離部２９に流入させると、極めて高速度で浮上分離され、清澄な処理水３１が浮上分離槽２８の下部から流出する。なお、本発明の除去対象物質は、ＳＳ、コロイド成分、フミン酸、色素などの色度成分、リン酸イオン、ＣＯＤ成分などである。これらの物質は無機凝集剤２３を添加すると不溶化し、ポリマ２４の添加によって、浮上性固体粒子２５の表面に付着する。
【０００９】
本発明の「浮上性固体粒子表面に凝集フロックが付着した状態の粒子」の浮上速度は極めて大きく、驚くべきことに、浮上速度は４０００〜７０００ｍｍ／ｍｉｎが得られ、従来の加圧溶解空気泡を利用する浮上分離装置の約４０〜７０倍も大きい。
本発明に適用するために最適な浮上性固体粒子２５を種々検討した結果、発泡スチロールなどの発泡プラスチック微粒子（特に発泡スチロールは比重が小さく、極めて浮上力が大きいこと、また低価格でもあり）が最適であることが認められた。
【００１０】
浮上性固体粒子２５の添加量として好適な範囲は、少なすぎると浮上速度向上効果が少なくなり、多すぎるとフロックに取り込まれなくなるので、かさ容積で原水１リットル当たり、２〜１００ｍｌ、より好ましくは５〜５０（ｍｌ浮上粒子／リットル原水程度）が好適範囲である。
添加容積比が小さすぎると、浮上性固体粒子に付着しないフロックが残留し、添加容積比が過大であると浮上分離物の量が過大になりすぎ、浮上物移送などのハンドリング面で不利になる。
【００１１】
無機凝集剤２３の添加率は原水２１の水質によって変化するが、下水を本発明によって処理する場合は、ＰＡＣでは１００〜１５０ｍｇ／リットル、塩化第２鉄では５０〜１００ｍｇ／リットル程度である。無機凝集剤２３の添加は不可欠ではなく、カチオン系ポリマで代替できることが多い。
有機高分子凝集剤（ポリマ）２４はアニオン性、ノニオン性、カチオン性、両性ポリマのいずれか、またはこれらを併用する。その注入率は、下水の場合１〜２ｍｇ／リットル程度で十分である。
最も効果的な凝集方法を検討した結果、原水２１に無機凝集剤２３又はカチオンポリマ２４を添加して撹拌したのち、アニオンポリマと両性ポリマ２４、又はノニオンポリマと両性ポリマ２４を添加する方法が、非常に粘着性が大きくフロック強度が強いフロックが形成され、極めて効果的に浮上性固体粒子２５に付着する凝集フロックを形成できることを見出した。
【００１２】
しかして、フロック付着浮上性固体粒子を浮上分離部２９に流入させ高速度で浮上分離する。
次に浮上分離物を排出し、撹拌槽（フロック剥離槽）３４で激しく撹拌すると、浮上性固体粒子２５相互がもみ洗い状態になり凝集フロックが浮上性固体粒子２５から剥離するので、これを図２の剥離フロック排除槽（浮上性固体粒子の洗浄槽３６と呼ぶこともある）に供給し、剥離フロックを系外に排除する。
原水２１に凝集剤を添加して生成したフロックは、浮上分離によって除去されるが、物質収支から、除去したフロックのＳＳ重量に等しい量を系外に排除することが重要である。さもないと、除去したフロックが浮上分離システム内に蓄積し、その蓄積が限界に達すると処理水６に流出し、処理水ＳＳを悪化させてしまう。
【００１３】
このような問題が発生しないように、本発明は次のような解決策を見出した。すなわち、浮上性固体粒子から剥離フロックを洗浄除去する洗浄槽１は、図１のように、カラム２が下降流部５と上向流部６に区画されている。
図２のフロック剥離槽３４において浮上性固体粒子から剥離したフロック懸濁水は、図１に示すように、浮上性固体粒子８とともに、流入水７として洗浄槽１に流入（流量Ｑ１）する。その後、下降流部５を流下する。下降流部５の下端から、剥離フロックは落下し、洗浄槽１の底に設けてある剥離フロック排水口から流量調整バルブ１４で流量調節されて剥離フロック含有排水１２として系外に流出（流量Ｑ４）する。一方、浮上性固体粒子８はカラム２内の隣接する上向流部６を図の点線矢印のように浮上してゆく。
【００１４】
浮上性固体粒子８が浮上する上向流部６の上部には、洗浄された浮上性固体粒子を含む流出水１１の流出口が設けられ、図２の凝集槽２２に流入し、フロック付着粒子として再利用される。
また、浮上性固体粒子８が浮上する上向流部６の上部には洗浄水１０の流入部が設置され、洗浄水１０が流入する（流量Ｑ２）。洗浄水１０の一部を、排水口から剥離フロック含有排水１２として流出させ（流量Ｑ４）、他部を流出部から浮上性固体粒子８を含む流出水１１として流出させる（流量Ｑ３）。
したがって、洗浄水１０の一部は、沈殿部３内を下降流（図の実線矢印）となって流下する。
この結果、剥離フロックは、この下降流によって下方に洗い流され、洗浄槽１の系外に排出される。このような状態における流量条件は、Ｑ２＞Ｑ３、かつＱ４＝Ｑ１＋Ｑ２―Ｑ３を満足している。
【００１５】
なお、剥離フロック含有排水１２は、図２において洗浄排水３９として沈殿槽４０に導いて、剥離フロックを沈殿分離し、上澄水４１は処理水として放流し、沈殿汚泥４２だけを下水終末処理場に流入させるか、又は汚泥処理するのが好適である。
また、図１に示すように、洗浄槽１の下部に、剥離フロックが沈殿した沈殿汚泥１３を排出する排泥管１５を、排水口のほかに設けると、さらに効率的に剥離フロックを系外に排除できるので好ましい。
【００１６】
洗浄水１０としては、水道水を使用する必要は無く、図１の本発明の浮上分離処理水３１の一部又は原水２１の一部を利用すればよい。原水２１を利用する場合は、無機凝集剤２３を添加後の原水２１の一部を利用するのが好ましい。このようにすることによって洗浄排水３９に高分子凝集剤２４を添加混和するだけで、原水２１中の汚濁物質と剥離フロックの両者を、図示しない沈殿槽において沈殿分離できる。
【００１７】
剥離フロックが凝集付着槽２６に戻ってしまうと、剥離フロックが本発明の浮上分離システム内に蓄積し、浮上性固体粒子２５の表面に付着しないフロックが出現し、これが処理水３１に流出してしまうトラブルを引き起こすが、本発明では、フロック剥離槽３４において浮上性固体粒子２５から剥離したフロックは、ほぼ完全に系外に排出でき、洗浄された浮上性固体粒子３８だけを図２の凝集槽２２に循環させることができ、このような問題が起きない。
【００１８】
【実施例】
以下、本発明を実施例により具体的に説明するが、本発明はこの実施例により何等制限されるものではない。
【００１９】
実施例１、合流式下水道の雨天時越流水（ＣＳＯ）の処理試験
ＣＳＯ（ＳＳ　２３０ｍｇ／リットル）に平均粒径６００μｍの発泡スチロール微粒子を５０ｍｌ／リットル添加し、強く撹拌して撹拌槽全体に分散させながら、塩化第２鉄を４０ｍｇ／リットル添加し、３０秒間急速撹拌を行いマイクロフロックを形成させた後、ポリマ（アニオン性ポリマ、分子量１５００万、銘柄エバグロースＡ１５１）を１．５ｍｇ／リットル添加し、２０秒撹拌した結果、凝集マイクロフロックが発泡スチロール粒子表面にコーティングされた。これを、浮上分離速度４０００ｍｍ／ｍｉｎの超高速浮上分離速度に設定した浮上分離装置に流入させた。この結果、発泡スチロール粒子表面にフロックが付着した粒子は高速度で浮上し、処理水ＳＳは６ｍｇ／リットルとなり、下水中のＳＳが超高速度で効率よく浮上分離された。
【００２０】
浮上分離された「フロック付着発泡スチロール粒子」をスクリュー型撹拌翼を設けた槽にポンプアップし、回転数６００ｒｐｍで１分撹拌した結果、付着フロックが発泡スチロール粒子から剥離した。
次に図１の洗浄槽１に流量５リットル／分（Ｑ１）で供給し、前記のような方法で剥離フロックを排除した。洗浄槽１の下降流部５の流速は６ｍ／ｍｉｎに設定し、発泡スチロール粒子が浮上せずに流れに乗って流下するようにした。流下時間は３秒である。
【００２１】
洗浄水１０として浮上分離処理水の一部を用い、流量３リットル／分（Ｑ２）で供給し、洗浄槽１０下部の排水口から、流量６リットル／分（Ｑ４）で剥離フロックを含んだ排水１２を排出した。
洗浄された発泡スチロール粒子を含む流出水１１は、浮上性固体粒子浮上部（上向流部）６の上部の流出口から流量２リットル／分（Ｑ３）で図２の凝集付着槽２６の前の凝集槽２２に流入させた。上記各水量の条件として、Ｑ２＞Ｑ３、Ｑ４＝Ｑ１＋Ｑ２−Ｑ３の条件が形成された。
【００２２】
この結果、洗浄槽流入水の発泡スチロール粒子を除いたＳＳは２２００〜２６００ｍｇ／リットルであったが、流出水１１の発泡スチロール粒子を除いたＳＳは３５〜４６ｍｇ／リットルであり、剥離フロックがほぼすべて系外に排出された。
以上のような運転を１２時間継続したところ、浮上分離処理水のＳＳは安定して、８〜１１ｍｇ／リットルとなり、原水（ＣＳＯ）中のＳＳが高度に除去された。
【００２３】
比較例１
比較のために、図１の洗浄槽の仕切板４を除去し、かつ洗浄水を供給せずに運転したところ、処理水ＳＳは運転開始２０分後に１３６ｍｇ／リットル、４０分後に３６４ｍｇ／リットルと著しく悪化した。
【００２４】
参考例１
従来公知の加圧溶解空気を利用する浮上分離装置で試験した。原水は実施例１と同一である。下水（ＳＳ　２３０ｍｇ／リットル）に塩化第２鉄を４０ｍｇ／リットル添加し、３０秒間急速撹拌を行った後、アニオン性ポリマ、分子量１５００万、銘柄エバグロースＡ１５１を１．５ｍｇ／リットル添加し、１分急速撹拌したのち、加圧溶解空気を含んだ水を供給し、浮上分離速度２００ｍｍ／ｍｉｎの浮上分離速度に設定した浮上分離装置に流入させた。この結果、浮上気泡粒子に付着したフロックは緩慢に浮上した。処理水ＳＳは１２ｍｇ／リットルとなり、下水中のＳＳが除去された。
しかし浮上速度４００ｍｍ／ｍｉｎに設定して運転したところ、フロックはほとんど浮上せず、下降流の水流に随伴されて処理水に流出し、処理水ＳＳが１９３ｍｇ／リットルと著しく悪化し処理不可能であった。
【００２５】
【発明の効果】
本発明によれば、以下の優れた効果が得られる。
（１）本発明の浮上分離速度は、文字通り驚異的であり５〜７ｍ／ｍｉｎが可能であり、従来の浮上分離法の５０〜７０倍の浮上速度が可能であることにより、従来の気泡による浮上分離法では全く不可能であった、超高速度の浮上分離速度で原水中の懸濁粒子を浮上分離でき、かつ除去したＳＳが系内に悪循環することがないので、処理水ＳＳを安定して低い値に維持できる。
（２）したがって、合流式下水道の雨天時越流水（ＣＳＯ）のように、短時間に膨大な水量が発生する原水に極めて好適であり、非常にコンパクトな装置でＣＳＯの懸濁粒子を除去できる。
（３）従来の加圧溶解空気浮上分離法で不可欠であった空気コンプレッサ、空気溶解槽などが不要であり、設備費、動力費が削減できる。
（４）本発明では、洗浄部で、フロック剥離部において浮上性固体粒子から剥離したフロックは、ほぼ完全に系外に排出でき、洗浄された浮上性固体粒子だけを凝集槽に循環させることができるので、剥離フロックが凝集付着槽に戻ってしまい、剥離フロックが本発明の浮上分離システム内に蓄積し、フロックが処理水に流出して、処理水の水質悪化を引き起こすような問題が起きない。
【図面の簡単な説明】
【図１】本発明の浮上性固体粒子の洗浄槽の構造を説明する断面図である。
【図２】本発明の浮上分離における浮上性固体粒子の洗浄方法の一実施例を示すフロー図である。
【符号の説明】
１　洗浄槽
２　カラム
３　沈殿部
４　仕切板
５　下降流部
６　上向流部
７　流入水
８　浮上性固体粒子
９　剥離フロック
１０　洗浄水
１１　流出水
１２　剥離フロック含有排水（出口）
１３　沈殿汚泥
１４　流量調整バルブ
１５　排泥管
２１　原水
２２　凝集槽
２３　無機凝集剤
２４　高分子凝集剤
２５　浮上性固体粒子
２６　凝集付着槽
２７　フロック含有原水
２８　浮上分離槽
２９　浮上分離部
３０　処理水分離部
３１　処理水
３２　浮上物
３３　ポンプ
３４　フロック剥離槽
３５　剥離フロック含有水
３６　洗浄槽
３７　洗浄水
３８　洗浄済み浮上性固体粒子
３９　洗浄排水
４０　沈殿槽
４１　上澄水
４２　沈殿汚泥
【図１】
2004025116.tif 000003
【図２】
2004025116.tif 000004